(57)【要約】  本発明は、ディーゼルエンジンのための燃焼室、ディーゼルエンジンの燃焼室において燃料−空気の混合気を点火するための方法、およびディーゼルエンジンに関する。前記燃焼室は、ピストンヘッド表面を有するピストン（２）、シリンダヘッド表面を有するシリンダヘッド（１）、および燃焼室軸（７）を含むことを特徴とする。少なくとも１つの凹部（３、４）は、前記ピストンヘッド表面及び／又は前記シリンダヘッド表面に設けられ、燃焼室軸（７）に沿って配置される点火起動装置（６）は、燃焼室軸（７）に沿った線形点火を作り出すように設計されている。【選択図】図１５
2014528555.tif 000002
【特許請求の範囲】
【請求項１】
ピストン底面を有するピストン（２）とシリンダヘッド（１）とを提示し、燃焼室軸（７）を有する、ディーゼルエンジンの燃焼室であって、ピストン底面及び／又はシリンダヘッド表面には、少なくとも１つの凹部（３、４）が見られ、１つの点火装置（６、６ａ、６ｂ）が、燃焼室軸（７）に沿って配されており、点火装置は、燃焼室軸に沿って線形点火を生じさせるように調整されている、ことを特徴とする、燃焼室。
【請求項２】
ａ）  凹部が、シリンダヘッド表面に位置する且つ円錐の形態を有し、その先端が、ピストンの表面の方へ方向付けられておらず、点火装置が、円錐の先端に位置付けられている、または、
ｂ）  凹部が、ピストン底面に位置する且つ円錐台の形態を有し、その先端が、ピストンの表面の方へ方向付けられておらず、点火装置が、円錐状の軸上に位置付けられている、または、
ｃ）  凹部が、シリンダヘッド表面に位置する且つ１つの円錐と少なくとも１つの円錐台との組み合わせから又は少なくとも２つの円錐台の組み合わせから結果として生じる段差状の形態を有し、点火装置が、凹部軸上に位置付けられている、ことを特徴とする、請求項１に記載の燃焼室。
【請求項３】
ａ）  凹部が、ピストン底面に位置する且つ円錐状の形態を有し、その先端が、シリンダヘッド表面の方へ方向付けられておらず、点火装置が、凹部軸上に位置付けられている、または、
ｂ）  凹部が、ピストン底面に位置する且つ円錐台の形態を有し、その上面が、シリンダヘッド表面の方へ方向付けられておらず、点火装置が、凹部軸上に位置付けられている、または、
ｃ）  凹部が、ピストン底面に位置する且つ１つの円錐と少なくとも１つの円錐台との組み合わせから又は少なくとも２つの円錐台の組み合わせから結果として生じる段差状の形態を有し、点火装置が、凹部軸上に位置付けられている、ことを特徴とする、請求項１または２に記載の燃焼室。
【請求項４】
中央の凹部および少なくとも１つの円形の溝が、シリンダヘッド及び／又はピストンにおいて見られ、それによって、好ましくは、点火室の中央の縦断面における凹部はすべて、三角形、台形、段差状の形態を有し、点火装置は、中央の凹部軸上に位置付けられていることを特徴とする、請求項１乃至３のいずれかに記載の燃焼室。
【請求項５】
ピストン底部の平面と、円錐および円錐台の母線との角度が、４０°〜５０°であり、及び／又はシリンダヘッド平面と、円錐および円錐台の母線との角度が、４０°〜５０°であり、及び／又はピストン底部の平面と、円形の溝および中央の凹部の母線との角度が、４０°〜５０°であることを特徴とする、請求項１乃至４のいずれかに記載の燃焼室。
【請求項６】
トリガー起動装置（６、６ａ、６ｂ）として、延びたグロープラグ（６ａ）及び／又はロッド（６ｂ）、好ましくは、金属またはセラミックのロッドが使用され、それによって、ロッド（６ｂ）が、ピストン底面の中心から又はピストン（２）における凹部（４）の中心から突出すると特に見られることを特徴とする、請求項１乃至５のいずれかに記載の燃焼室。
【請求項７】
点火装置（６、６ａ、６ｂ）は、凹部（４）の軸全体上の燃料−空気の混合気の点火を同時に引き起こすように調節される、または燃焼室軸に対する線形点火の垂直の延長が、≧１０％、≧２０％（好適）、≧３０％（より好適）、≧４０％（さらにより好適）、≧５０％（高度に好適）、≧６０％（より高度に好適）、≧７０％（特に好適）、≧８０％（非常に好適）、および≧９０％（とりわけ好適）であるように調節されることを特徴とする、請求項１乃至６のいずれかに記載の燃焼室。
【請求項８】
燃焼室軸（７）の明確な高さは、凹部（３、４）内に位置し、及び／又は円錐の底面の半径は、シリンダの半径より小さく、及び／又は円錐台の底面の半径は、シリンダの半径より小さいことを特徴とする、請求項１乃至７のいずれかに記載の燃焼室。
【請求項９】
少なくとも１つの注入手段、特に注入ノズルは、燃料及び/又は空気の注入のためと見られ、これによって、これらの注入手段の少なくとも１つは、注入方向が燃焼室軸と一致しないように配され、注入方向は、燃焼室軸に対して３０°〜１５０°、好ましくは６０°〜１２０°、特に９０°の角度であるべきとして好適に設けられることを特徴とする、請求項１乃至８のいずれかに記載の燃焼室。
【請求項１０】
空気用の注入手段および燃料用の注入手段が、対称的に配され、両注入手段の注入方向が１つの軸上にある状況が、特に好適であることを特徴とする、請求項９に記載の燃焼室。
【請求項１１】
１つを超える凹部がある状態で、各々の追加の凹部の軸上に、燃料−空気の混合気のための追加の点火装置として機能するロッドがあることを特徴とする、請求項１乃至１０のいずれかに記載の燃焼室。
【請求項１２】
円形の溝において、好ましくは金属またはセラミックでできた円形−円筒状の要素（１６）が、燃料−空気の混合気のための追加の点火装置として機能するように挿入されることを特徴とする、請求項８に係る請求項９乃至１１のいずれかに記載の燃焼室。
【請求項１３】
ディーゼルエンジンの燃焼室において燃料−空気の混合気を点火するための手順であって、ここで、燃焼室は、シリンダヘッド表面を有するシリンダと、ピストンヘッド表面を有するピストンとを提示し、燃焼室軸と、シリンダヘッド表面及び／又はピストン底面に凹部とを有し、点火装置が、燃焼室軸（７）に沿って位置しており、点火装置は、燃焼室軸（７）に沿って線形点火を生じさせるように調整されており、線形点火は、燃焼室軸に沿って生じ、請求項１乃至１２のいずれかに記載の燃焼室が好適である、ことを特徴とする、手順。
【請求項１４】
請求項１乃至１２のいずれかに記載の燃焼室を特徴とする、ディーゼルエンジン。
【発明の詳細な説明】
【技術分野】
【０００１】
本発明は、請求項１の前文に係るディーゼルエンジンの燃焼室、請求項１４の前文に係るディーゼルエンジンの燃焼室において燃料−空気の混合気を点火するための方法、および請求項１５の前文に係るディーゼルエンジンに関する。
【０００２】
本発明は、機械構造およびエンジン構造の分野に関し、異なるタイプのディーゼルエンジンの適用が見られ；それは、特別なタイプの燃焼室の構成によって、また燃料−空気の混合気のための定義された配置（ｏｒｉｅｎｔａｔｉｏｎ）を有する点火装置の併用によっても実現される。
【０００３】
本発明は、燃料分子の運動エネルギーの、有用な仕事へのより効果的な変換、すなわち、ディーゼルエンジンの性能及び有効性の程度の向上を保証する。
【背景技術】
【０００４】
ピストン底部およびシリンダヘッドにおける凹部によって構成され、円筒形状を有している、ディーゼルエンジンの燃焼室が知られている（Ｉｎｔｅｌｌｅｃｔｕａｌ Ｐｒｏｐｅｒｔｙ Ｃｅｒｔｉｆｉｃａｔｅ ｏｆ ｔｈｅ ＵＳＳＲ ｎｏ． ３３７５４７， Ｃｌ． Ｆ ０２ Ｂ ２３／０８， １９７２．）。
【０００５】
円筒状の燃焼室を備えるが、燃料−空気の混合気のために必要な点火の変形（ｖａｒｉａｎｔｓ）を有さない、ピストンエンジンは、運動の燃料分子の有用な仕事への非効率的な変換のために、性能が低く、有効性の程度が低い。
【０００６】
シリンダヘッドおよびピストン底部における凹部として構成され、上昇する（ｗｉｔｈ ｅｌｅｖａｔｉｏｎ）バルブを備える、ディーゼルエンジンの燃焼室が知られている（Ｐａｔｅｎｔ ＤＥ ３１４５０７３， Ｃｌａｓｓ Ｆ０２ Ｂ ４５／１０， １９８３）る。
【０００７】
そのような燃焼室の構成、および燃料−空気の混合気の点火のために必要とされる変形の欠如は、燃料分子の運動エネルギーの有用な仕事への効果的な変換、および燃焼エンジンの性能及び有効性の程度の向上を許さない。
【０００８】
ピストンエンジンの燃焼室の変形が知られており、その構成は、ピストン底部の平面およびシリンダヘッドにおける少なくとも１つの凹部、またはシリンダヘッドの平面およびピストン底部の平面における少なくとも１つの凹部または少なくとも２つの凹部にあり、そのシリンダヘッドにおける凹部およびピストン底面における凹部から成り、あるいはピストン底面における１つの凹部およびシリンダヘッド表面における少なくとも１つの凹部とともにある。凹部は、角錐、角錐台、円錐、または円錐台の形態、燃焼室の縦断面で、半球、半球セグメント（ｈｅｍｉｓｐｈｅｒｅ ｓｅｇｍｅｎｔ）、放物面、または段差の形態、あるいは燃焼室の横断面で、螺旋または円形の溝の形態を有する（Ｐａｔｅｎｔ ｏｆ ｔｈｅ Ｒｕｓｓｉａｎ Ｆｅｄｅｒａｔｉｏｎ ｎｏ． ２２４９７１８， Ｃｌａｓｓ Ｆ ０２ Ｆ１／２１， Ｆ０２ Ｆ３／２８， Ｆ０２ Ｂ２３／００， ２００５）。
【０００９】
ディーゼルエンジンにおける複数の適用の変形は、燃料分子の運動エネルギーの有用な仕事への効率的な変換を保証することができない。これらの燃焼室の最良の変形の欠点は、燃料−空気の混合気のために必要な点火の変形の欠如にあり、そのために、燃料分子の運動エネルギーの有用な仕事への最大の効率的な変化、およびエンジンの性能および有効性の程度の向上は可能ではない。
【００１０】
レシピエント（ｒｅｃｉｐｉｅｎｔ）においてＮ分子が存在する場合には、どんな時でも、Ｎ/３の分子が任意の方向に縦に移動し、これによって、それらの半分（すなわちＮ/６分子）は、現在の移動方向に関連して一方向に縦に移動し、残りの半分は、他方向に移動するはずであることが周知である（Ｓａｗｅｌｊｅｗ Ｉ． Ｗ．， Ｇｅｎｅｒａｌ Ｐｈｙｓｉｃｓ Ｃｏｕｒｓｅ ｉｎ ４ ｖｏｌｕｍｅｓ， Ｖｏｌ． １， ｐ． ３６３． Ｍｏｓｋａｕ， "Ｋｎｏｒｕｓ" ２００９．）。
【００１１】
これはまた、ディーゼルエンジンの燃焼室における燃料−空気の混合気の燃焼の結果として形成された燃焼室で形成されたガスにも当てはまる。
【００１２】
シリンダ壁によって、ならびにピストン底部およびピストンヘッドの表面によって形成された従来の燃焼室を使用するときには、ピストン底面に作用する燃料（燃焼生成物の）の分子によってのみ有用な仕事が行われるように、膨張するガスのエネルギーの大部分は、効率的に使用されない。最大の有用な仕事は、ピストン底面に垂直に作用する分子によってのみ行われる。
【００１３】
シリンダ壁に垂直に作用する分子は、ピストンが下死点の方向に移動する際に関与しない。
【００１４】
ガス分子のかなりの部分が、シリンダ壁に対するその作用を発揮するとき、これらの分子の運動エネルギーは有効に使用されず、これらの分子によって行われた有用な仕事は、非常にわずかであり、結果として、燃焼エンジンの有効性の程度が十分でなく、同様に性能も十分でない。
【発明の概要】
【００１５】
本発明の課題は、燃焼エンジンのための燃焼室を提供することにあり、それによって、より効率的な燃焼が可能となる。特に、ディーゼルエンジンの特別に設計された燃焼室の多くの変形が示され、その使用は、燃料分子の自由度間で必要とされた再分配につながる。さらに、ディーゼルエンジンの燃焼室における燃料−空気の混合気の点火のための手順が示される。
【００１６】
この課題は、請求項１に係るディーゼルエンジンの燃焼室、請求項１４に係るディーゼルエンジンの燃焼室における燃料−空気の混合気の点火のための手順、および請求項１５に係るディーゼルエンジンの助けを借りて解決される。さらなる記載が従属請求項において提供される。
【００１７】
本発明は、燃料分子によって行われる有用な仕事の大幅な向上に加えて、エンジンの有効性の程度の増加を可能にする。
【００１８】
凹部および特別な点火設備を備えた推奨される本発明の使用により達成される技術的効果は、燃料分子の自由度間でのエネルギーの再分配にあり、そこで、ピストンの移動軸に対する長手方向における分子の前方への移動に関連付けられた自由度に対する最大エネルギーが除外され（換言すれば、相当する燃料分子の自由度の減少が生じる）、その結果、無秩序な動きは生じず、むしろ燃料分子のピストンの方向への目標を持った（ｔａｒｇｅｔｅｄ）移動が生じ、これにより、１サイクル内での衝撃波（衝撃波は、ピストンの移動軸に沿って仕事室内で移動する）の生成、維持および多重反射のための条件が保証される。これは、燃料分子の運動エネルギーの有用な仕事へのより効率的な変換、すなわち、ディーゼルエンジンの有効性の程度の向上につながる。
【００１９】
本発明の本質的な側面は、点火装置が燃焼室の軸に対して長手方向に配置され、燃焼室の軸に対して線形の（ｌｉｎｅａｒ）自己点火を起こすように適合されていることである。燃焼室の軸に沿った配置は、燃焼室の軸上に置くことのみならず、燃焼室の軸に平行な配置も含む。
【００２０】
燃料分子の自由度間のエネルギーのこのような再分配は、燃料分子によって行われる有用な仕事、およびその結果の、エンジンの有効性の程度を実質的に向上させることができるという事実によって保証される。より正確には、組み合わせ効果（ｃｏｍｂｉｎａｔｏｒｙ ｅｆｆｅｃｔ）は、特別な点火装置と組み合わせて、凹部を有する燃焼室の特別な幾何学的形状によって作り出される。これは、ディーゼル燃料分子の自由度間のエネルギーの再分配につながり、ピストンの移動軸に対して長手方向の分子の前方への移動に関連付けられた自由度に対する最大エネルギーの除外を引き起こす。したがって、無秩序な動きは生じず、むしろ燃料分子のピストンの方向への目標を持った移動が生じ、これにより、１サイクル内での衝撃波（衝撃波は、ピストンの移動軸に沿って仕事室内で移動する）の生成、維持および多重反射のための条件が保証される。
【００２１】
より正確には、燃焼室の幾何学的形状は、燃焼室の縦軸に沿った衝撃波の前後振動を可能にし、これにより、凹部の特別な幾何学的形状は、燃焼室の軸の半径方向から長手方向に点火インパルスの方向転換を引き起こす。このような燃焼室の幾何学的形状は、ＷＯ２００４/０５９１４４ Ａ１から既知であるが、特別な点火装置とは組み合わせられていない。
【００２２】
様々な点火装置がこれまでに知られているが、それらは、常に点状（ｐｕｎｃｔｕａｌ）点火を引き起こし、その結果、球状の点火インパルスが形成された。この球状の点火インパルスにより、分離された立体角セグメントのみが凹部を通って燃焼室の縦軸の方向に方向転換され、一方、大きな角度セグメント領域は、長手方向のいずれのインパルスにも寄与しない。
【００２３】
この状況は、ここで点火装置が燃焼室の軸に沿って線形点火を作り出すように適合されているという事実によって、本発明によって改善される。点状点火または無秩序な自己点火の代わりに、中心から発する球状（ｓｐｈｅｒｉｃａｌ）点火がここでは生じず、むしろ円筒状の点火インパルスが生じ、そこで、燃焼室の長手方向の軸に対してラジアルインパルス成分のみが存在する。これらのラジアルインパルス成分は、燃焼室の軸に対して長手方向の凹部によってのみ、その全体が調整され得る。
【００２４】
したがって、点状点火または無秩序な自己点火の場合には、点火インパルスの分離された立体角領域のみを移動軸に対して長手方向の凹部によって調整することができ、本発明において用いられる線形点火の場合には、線形点火は、半径方向の効果を有するインパルスおよび（シリンダインパルスの被覆表面が考慮される場合には）移動軸の長手方向の効果を有するインパルスからなるため、これは、本質的には、点火インパルス全体を指す。
【００２５】
燃焼室の軸に対して長手方向の関係にある線形点火を用いて、凹部と組み合わせて本発明において特定されるように、ディーゼルエンジンの有効性の程度が著しく向上する。
【００２６】
公知のように、ディーゼル燃料は、特定の温度で自己点火し、この必要な温度は、ディーゼル燃料の注入前に供給された空気の断熱圧縮によって提供されている。点火の補助物（ａｕｘｉｌｉａｒｙ）（例えば、グロープラグの形態）が、開始手順のみに必要である。本発明の教示を実施するために、専門家は、自己点火のプロセスのための生殖細胞として実際に作用し、ディーゼル燃料によって燃焼室の軸上の自己点火を誘発させる、適切な自己点火装置を選択しなければならない。
【００２７】
燃焼室の軸の長手方向の経路上の自己点火を引き起こす点火装置として、特に長い構成のグロープラグ自体に加えて、燃焼室の軸上で配置された、燃焼温度に感知しない金属（例えばステンレススチール）、セラミックなどの物質でできたロッドを使用することができる。そのようなロッドが認識される場合、点火の補助物は、燃焼室の軸上に必ずしも配置される必要はない。好ましくは、点火の補助物およびロッドは組み合わされ、その結果、本質的に、燃焼室の軸全体が覆われる。
【００２８】
特に、点火装置の調整が好適であり、これは、燃焼室の軸全体にわたって自己点火に本質的に影響を与えるはずである。「燃焼室の軸全体」とは、点火時にピストン表面とシリンダヘッド表面との間の明確な高さであると理解され、これによって、凹部は、特にこの明確な高さにわたって延び、つまり、明確な高さ全体は、本質的に凹部内にある。
【００２９】
代替的には、燃焼室に対する点火装置の垂直方向の延長はまた、≧１０％、≧２０％（好適）、≧３０％（より好適）、≧４０％（さらにより好適）、≧５０％（高度に好適）、≧６０％（より高度に好適）、≧７０％（特に好適）、≧８０％（非常に好適）、および≧９０％（とりわけ好適）の顕著な利点をもたらす。
【００３０】
特に好適な発達において、少なくとも１つの注入手段、特に注入ノズルは、ディーゼル燃料及び/又は空気の注入のためと認識され、これによって、これらの注入手段の少なくとも１つは、注入の方向が燃焼室の軸と一致しないように配される。したがって、注入装置は、燃焼室の軸に対して、３０°〜１５０°の角度、好ましくは６０°〜１２０°の角度、および特に９０°の角度で配される。このような場合には、注入中に既に、ディーゼル燃料−空気の混合気には半径方向の動きが与えられ、これは、燃焼に対して好ましい効果を有する。
【００３１】
この文脈において、空気注入手段およびディーゼル燃料注入手段が、燃焼室の軸に対して対称的に配置されることが好適であり、両注入手段の注入方向が１つの軸上に位置している場合は特に好適である。
【００３２】
凹部が方向転換を特に効果的にするように構成されているため、燃料−空気の混合気のための異なる点火手順を併用して、特別に設計された燃焼室を使用することによって、前記技術的効果は、以下に列挙される本発明の変形の各々において特に効果的となる。
【００３３】
ピストン底部の平面によって、およびシリンダヘッド内の凹部によって形成されたディーゼルエンジンの燃焼室では、本発明の凹部は、円錐の形状を有し、その先端は、ピストン底部の表面に向いておらず、ピストン底部の平面と円錐の母線との角度は、４０〜５０°であり、円錐の基底面の半径は、シリンダの半径以下であり得、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得る。
【００３４】
ディーゼルエンジンの燃焼室の第２の変形では、シリンダヘッドの凹部は、円錐台の形状を有し、その上面は、ピストン底部の平面の方向に配されておらず、ピストン底部の平面と円錐の母線との角度は、４０〜５０°であり、円錐の基底面の半径は、シリンダの半径以下であり得、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得る。
【００３５】
ディーゼルエンジンの燃焼室の第３の変形では、シリンダヘッドの凹部は、円錐および少なくとも１つの円錐台の組み合わせによって、または少なくとも２つの円錐台の組み合わせによって形成された段差状の構成を有し、ピストン底部の平面と円錐の母線との角度は、４０〜５０°であり、円錐の基底面の半径は、シリンダの半径以下であり得、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得る。
【００３６】
第４の変形では、ディーゼルエンジンの燃焼室は、ピストン底部の平面およびシリンダヘッドにおける少なくとも１つの凹部によって形成され、本発明に係るこの凹部は、円形の溝として又は中央の凹部と少なくとも１つの円形の溝との組み合わせとして構成され、中央の縦断面における凹部は、三角形、台形、または段差状の形態を有し、およびピストン底部の平面と円形の溝の母線との角度は、４０〜５０°であり、円錐の基底面の半径は、シリンダの半径以下であり得、これによって、燃料−空気の混合気ための点火装置（例えば、スパークプラグ、グロープラグまたはレーザスパークプラグ）は、その軸に沿って円錐の先端またはシリンダヘッドの上面の中心に配される。
【００３７】
第５の変形では、ディーゼルエンジンの燃焼室は、シリンダヘッドの平面およびピストン底面における少なくとも１つの凹部によって形成され、本発明に係るこの凹部は、円錐として構成され、その先端は、シリンダヘッド表面の方に方向付けられておらず、シリンダヘッドの平面と円錐の母線との角度は、４０〜５０°であり、円錐の基底面の半径は、シリンダの半径以下であり得、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得る。
【００３８】
ディーゼルエンジンの燃焼室の第６の変形では、ピストン底面における凹部は、円錐台の構成を有し、その上面は、シリンダヘッド表面の方に方向付けられておらず、ピストン底部の平面と円錐の母線との角度は、４０〜５０°であり、円錐の基底面の半径は、シリンダの半径以下であり得、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得る。
【００３９】
ディーゼルエンジンの燃焼室の第７の変形では、ピストン底面における凹部は、円錐および少なくとも１つの円錐台の組み合わせによって、または少なくとも２つの円錐台の組み合わせによって形成された段差状の構成を有し、ピストン底部の平面と円錐の母線との角度は、４０〜５０°であり、円錐台の基底面の半径は、シリンダの半径以下であり得、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得る。
【００４０】
第８の変形では、ディーゼルエンジンの燃焼室は、シリンダヘッドの表面およびピストン底面における少なくとも１つの凹部によって形成され、本発明に係るこの凹部は、円形の溝として又は中央の凹部と少なくとも１つの円形の溝との組み合わせとして構成され、中央の縦断面における凹部は、三角形、台形、または段差状の形態を有し、およびシリンダヘッドの平面と円形の溝の母線との角度は、４０〜５０°であり、これによって、燃焼室の軸上に延びたグロープラグは、点火装置として機能するか、あるいは点火装置は、凹部の軸に位置する、グロープラグと、スチールロッドまたは高い熱容量を有する別の物質でできたロッドとの組み合わせであり得、および円形の溝において、燃料−空気の混合気のための点火装置としても機能することができる要素である、同じ物質でできた円筒要素があり得る。
【００４１】
列挙されたすべての変形において、燃焼室の滑らかな壁の加工品質がより精確になるほど、本発明の有用な仕事がより効率的になる。
【００４２】
上記の凹部形状（これにより、ディーゼルエンジンの燃焼室が構成される）は、燃料−空気の混合気のための点火装置（ロッドおよび高い熱容量を有する円筒状の金属要素）との組み合わせで、燃料分子の目標を持った動きの好適な形成を生じさせ、これにより、最大数の燃料分子を有効な仕事に変換することができる。上死点（ｕｐｐｅｒ ｄｅａｄ ｃｅｎｔｅｒ）におけるピストンの位置決めの際に、推奨されるエンジン室の変形において円筒状の壁が存在しないことは、燃料分子におけるエネルギーの非有効利用の減少（例えば、スパークプラグまたは短いグロープラグを使用するとき）を決定付ける。
【００４３】
燃料−空気の混合気のための本発明の点火装置（ロッドおよび高い熱容量を有する円筒状の金属要素）と組み合わせて、推奨される燃焼室の変形を使用することは、燃料分子の運動エネルギーの有用な仕事へのより効率的な変換に加えて、ディーゼルエンジンの性能の向上および有効性の程度の向上につながる。
【００４４】
各燃焼室の変形における壁の最大の平滑さが、波効果の抑制を目的とし、衝撃波、ならびに電磁気、光、赤外線、紫外線波が、燃焼室壁に反射されるとき、燃焼室の、発熱が減少される。したがって、燃焼室壁における熱損失および冷却手段への熱放出に起因する熱損失を減少させることができる。さらに、過度に高い温度による燃焼室の破壊を防止することができる。
【００４５】
燃焼室において作り出された音響波及び衝撃波は、燃焼室壁による反射によってさらなる有用な仕事をもたらす。これは、燃料分子の運動エネルギーの有用な仕事への効率的な変換の改善に加えて、燃焼エンジンの性能の向上および有効性の程度の向上につながる。
【００４６】
本発明に記載されるように、独立した保護が点火手順および燃焼エンジンに必要とされる。本発明に記載されるようなディーゼルエンジンは、専門家に既知の様式で構築され、本発明に記載されるような点火装置を含む。
【００４７】
特に他に明記のない限り、本発明の様々な特徴は、互いに組み合わせることができる。
【００４８】
本発明の特徴および他の利点は、好適な実施例の記載により以下において明らかになる。本発明の説明は、以下の完全な概略図によって行われる。
【図面の簡単な説明】
【００４９】
【図１】図１は、ピストン底部の平面によって及びシリンダヘッドにおける凹部によって形成された燃焼室を通る縦断面を示し；凹部は、円錐の形状を有し、点火装置は、円錐軸上にある。
【図２】図２は、シリンダヘッドの上面に、およびピストン底面における円錐台の形態で凹部にある燃焼室を示す。
【図３】図３は、ピストン底部の平面によって及びシリンダヘッドにおける段差状の凹部によって形成された燃焼室、ならびに燃焼室の縦断面を示す。
【図４】図４は、シリンダヘッド平面によって及びピストン底面における段差状の凹部によって形成された燃焼室、ならびに燃焼室の縦断面を示す。
【図５】図５は、ピストン底部の平面によって形成された、およびシリンダヘッドにおける中央の凹部と円形の溝との組み合わせからの、燃焼室を示し；縦断面における凹部は、三角形を有し、図は、溝における円形−円筒状の要素を表わす（この図はまた、ピストン底部またはシリンダヘッドにおける７つの円錐状の凹部によって形成された、燃焼室の縦断面を示す）。
【図６】シリンダヘッド平面から成る、およびピストン底部における中央の凹部と円形の溝との組み合わせからの、燃焼室を示し；縦断面において、凹部は、段差状の形態を有する（この図はまた、ピストン底部またはシリンダヘッドにおける７つの円錐状の凹部によって形成された、燃焼室の縦断面を示す）。
【図７】図７は、図６に提示される燃焼室の縦断面（中央の凹部と円形の溝との組み合わせ）を示す。
【図８】図８は、ピストン底部の平面と、７つの円錐状の凹部を有するシリンダヘッドから成る燃焼室、ならびに燃焼室の縦断面を示す（この燃焼室の中央の縦断面は、図５で表わされる）。
【図９】図９は、注入配列（ｉｎｊｅｃｔｉｏｎ ｃｏｌｌｏｃａｔｉｏｎ）に関する構成を示す。
【図１０】図１０は、注入配列に関する構成を示す。
【図１１】図１１は、注入配列に関する構成を示す。
【図１２】図１２は、点火装置に関する構成を示す。
【図１３】図１３は、点火装置に関する構成を示す。
【図１４】図１４は、点火装置に関する構成を示す。
【図１５】図１５は、点火装置に関する構成を示す。
【発明を実施するための形態】
【００５０】
本発明に記載されるように燃焼エンジンの燃焼室は、シリンダ１およびピストン２を示すことが明らかに分かる。燃焼室は、ピストン底部２の平面およびシリンダヘッドにおける凹部３によって形成される（例えば、図１参照）。燃焼室はまた、シリンダヘッド１の平面およびピストン底部における凹部４によって形成することができる（例えば、図２参照）。代替的には（図示せず）、ピストン２およびシリンダヘッド１における凹部を組み合わせることができる。
【００５１】
凹部３及び４の各々は、円錐、円錐台または段差の形状を有する。凹部３及び４はまた、螺旋または円形の溝として構成することができ、この溝は、燃焼室の縦断面において、三角形、台形または段差状の形態を有し、または半円またはアーチに限定される。
【００５２】
燃焼室壁５の表面は、衝撃効果を反映するために、最大の平滑さで製造される。また、点火装置６、６ａ、６ｂおよび燃焼室は、燃焼室の軸７を有することが分かる。図１乃至４では、燃料−空気の混合気のための点火装置６が、凹部の軸上に位置付けられることが留意され得る。
【００５３】
ピストンヘッドまたはシリンダヘッドと、円錐または円錐台の母線との間で設定される最適な角度は、４０°〜５０°である。角度が、４０°より小さい又は５０°より大きくなる場合は、燃料分子の運動エネルギーの有用な仕事への変換効率が減少する。
【００５４】
本発明は以下のように機能する。以下の変形を考えてみると：円錐状の凹部は、平面と円錐の母線とを４５°の角度で、延びたグロープラグの使用および点火装置（高い熱容量を有する金属ロッド）によって、燃料−空気の混合気の同時点火を決定付ける。
【００５５】
レーザビームまたはグロープラグを使用するときに、燃焼室の軸７に沿ったグロープラグ単独での又は組み合わさった点火装置６ａ、６ｂでの燃料−空気の混合気の点火は、点火線に対して半径方向の移動方向を燃料分子（燃焼生成物の分子）に向ける。４５°より小さい角度で凹部壁５で反射された後、分子は、平行で、非交差の移動経路上をピストン運動の方向に沿ってその動きを続け、その後平面によって反射され、円錐状の凹部の方向にその動きを再開し；これは、１サイクルの過程で数回起こる。燃料分子とシリンダ壁の表面との間では接触は起こらない、つまり、すべての分子が有用な仕事を行う。時間単位の経過において分子が包含する距離が等しくなると、分子は、ピストン底部の平面またはシリンダヘッドに対して平行に狭い前方に移動し、これは、エンジンのサイクル時間を著しく超える長時間の間に、分子の起こり得る衝突およびシステムの混乱を防止する。結果として生じる電磁波および衝撃波に加えて、高エネルギーガス粒子は、燃焼室の平滑面５によって反射され、それにより、その発熱が減少し、ガスおよび波の両方の運動エネルギーの有用な仕事への効率的な変換が保証される。このようにして、ピストンへの圧力が著しく増加し、燃焼エンジンのシリンダブロックの発熱が著しく減少し、これは、結果として、そのライフサイクルの延長をもたらす。
【００５６】
図９において、シリンダヘッド１における点火装置６（長いグロープラグとして構成される）、空気用の注入ノズル８、およびディーゼル燃料用の注入ノズル９が提示されている。注入ノズル８、９は、その注入方向がライン１０上にあり、対称に配されていることが分かる。このライン１０は、燃焼室軸７に対して垂直に配される。このようにして、作り出された燃料−空気の混合気が既に燃焼室軸７に対してラジアルインパルス部分を示しているため、最大効果が達成され、これとは別に、混合気の画像は非常に対称的に構成され、混合気の一部は、空気と燃料との衝突により非常に細かく粉砕され、これがまた、より良い燃焼につながる。
【００５７】
図１０において、２つの注入ノズル８、９は、垂直に配されておらず、むしろ燃焼室軸７に対して鋭角α未満で配されている。ここでも、好ましい効果が得られ、なぜなら、燃料−空気の混合気は、ラジアルインパルス部分を示すからである。
【００５８】
図９および図１０は、シリンダヘッド１において凹部３を有する燃焼室の幾何学的形状を示し、図１１は、ピストン２に凹部４を有する燃焼室の幾何学的形状を示し、ここで、注入ノズル８、９は、垂直に配されておらず、むしろ燃焼室軸７に対して鋭角α未満で配されている。
【００５９】
図１２乃至１５では、様々な点火装置の変形が、異なる燃焼室の幾何学的形状と関連してさらに詳細に示され、これによって、図１２および１４の凹部３は、シリンダヘッド１に位置付けられ、および図１３および１５の凹部４は、ピストン底部２に位置付けられる。図１２および１３では、点火装置６は、長いロッド６ｂを有する短いグロープラグとして構成されるが、一方で、図１４および１５では、点火装置は、短いロッド６ｂを有する長いグロープラグとして構成される。
【００６０】
ディーゼルエンジンを始動させるときに、グロープラグ６ａは、点火の補助物として機能し、操作中に、グロープラグ６ａおよびロッド６ｂは、燃焼室軸上の自己点火を誘発するための点火装置６として共に作用する。グロープラグ６ａおよびロッド６ｂは共に、本質的に、燃焼室軸全体を覆い、その結果、完全なシリンダ形状のインパルス分布（ｉｍｐｕｌｓｅ ｄｉｓｔｒｉｂｕｔｉｏｎ）が結果的に生じる。ロッド６ｂが省略されるか又は短くされると、この効果は縮小され、一方で、本発明では、自己点火が、燃焼室軸の一部に直線的に並んで起こることが分かる。
【００６１】
＜ソースリスト＞
１．  Ｉｎｔｅｌｌｅｃｔｕａｌ Ｐｒｏｐｅｒｔｙ ＵＳＳＲ ｎｏ． ３３７５４７， ＫＩ Ｆ ０２ Ｂ ２３／０８， １９７２．
２．  Ｐａｔｅｎｔ ＤＥ ３１４５０７３ Ａ１， Ｃｌａｓｓ Ｆ ０２ Ｂ ４５／１０， １９８３
３．  Ｐａｔｅｎｔ ｏｆ ｔｈｅ Ｒｕｓｓｉａｎ Ｆｅｄｅｒａｔｉｏｎ ｎｏ． ２２４９１８， Ｃｌ． ０２ Ｆ１／２１， Ｆ ０２ Ｆ３ ２８， Ｆ ０２ Ｂ２３／００， ２００５
４．  Ｓａｗｅｌｊｅｗ Ｉ． Ｗ．， Ｇｅｎｅｒａｌ Ｐｈｙｓｉｃｓ Ｃｏｕｒｓｅ ｉｎ ４ ｖｏｌｕｍｅｓ， Ｖｏｌ． １， ｐ． ３６３． Ｍｏｓｃｏｗ， "Ｋｎｏｒｕｓ" ２００９
【図１】
2014528555.tif 000003
【図２】
2014528555.tif 000004
【図３】
2014528555.tif 000005
【図４】
2014528555.tif 000006
【図５】
2014528555.tif 000007
【図６】
2014528555.tif 000008
【図７】
2014528555.tif 000009
【図８】
2014528555.tif 000010
【図９】
2014528555.tif 000011
【図１０】
2014528555.tif 000012
【図１１】
2014528555.tif 000013
【図１２】
2014528555.tif 000014
【図１３】
2014528555.tif 000015
【図１４】
2014528555.tif 000016
【図１５】
2014528555.tif 000017
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
ピストン底面を有するピストン（２）とシリンダヘッド表面を有するシリンダヘッド（１）とを有し、燃焼室軸（７）を有する、ディーゼルエンジンの燃焼室であって、ピストン底面及び／又はシリンダヘッド表面には、少なくとも１つの凹部（３、４）が設けられ、燃料−空気の混合気の点火のための１つの点火装置（６、６ａ、６ｂ）が、燃焼室軸に沿って配されており、点火装置は、凹部の全長にわたって延び、及び／又は存在する可能性のあるグロープラグに関わらず、点火装置はロッドを有し、ここで、点火装置（６、６ａ、６ｂ）は、燃焼室軸に対して本質的にラジアルインパルス成分のみを有している、円筒状の点火インパルスが生じるような方法で、燃焼室軸（７）に沿って線形点火を生じさせるように調整されており、
ここで、シリンダヘッドにおける凹部は、以下の規則：
ａ）  凹部が、シリンダヘッド表面に位置する且つ円錐の形態を有し、その先端が、ピストン底面の方へ方向付けられておらず、点火装置が、円錐の先端に位置付けられている、または、
ｂ）  凹部が、シリンダヘッド表面に位置する且つ円錐台の形態を有し、その先端が、ピストン底面の方へ方向付けられておらず、点火装置が、円錐台の軸上に位置付けられている、または、
ｃ）  凹部が、シリンダヘッド表面に位置する且つ１つの円錐と少なくとも１つの円錐台との組み合わせから又は少なくとも２つの円錐台の組み合わせから結果として生じる段差状の形態を有し、点火装置が、凹部軸上に位置付けられている、
の１つによって形成され、
及び／又はピストン底面における凹部は、以下の規則：
ｄ）  凹部が、ピストン底面に位置する且つ円錐の形態を有し、その先端が、シリンダヘッド表面の方へ方向付けられておらず、点火装置が、凹部軸上に位置付けられている、または、
ｅ）  凹部が、ピストン底面に位置する且つ円錐台の形態を有し、その上面が、シリンダヘッド表面の方へ方向付けられておらず、点火装置が、凹部軸上に位置付けられている、または、
ｆ）  凹部が、ピストン底面に位置する且つ１つの円錐と少なくとも１つの円錐台との組み合わせから又は少なくとも２つの円錐台の組み合わせから結果として生じる段差状の形態を有し、点火装置が、凹部軸上に位置付けられている、
の１つによって形成され、
ここで、規則ａ）乃至ｃ）に関して、ピストン底部の平面と、円錐および円錐台の母線との角度が、４０°〜５０°で設けられており、規則ｄ）乃至ｆ）に関して、シリンダヘッド平面と、円錐および円錐台の母線との角度が、４０°〜５０°で設けられており、その結果、ラジアルインパルス成分は、その全体が、燃焼室軸に沿って凹部によって調整されることを特徴とする、燃焼室。
【請求項２】
中央の凹部および少なくとも１つの円形の溝が、シリンダヘッド及び／又はピストンに設けられ、ここで、好ましくは、点火室の中央の縦断面における凹部はすべて、三角形、台形、または段差状の形態を有し、点火装置は、中央の凹部軸上に位置付けられていることを特徴とする、請求項１に記載の燃焼室。
【請求項３】
ピストン底部の平面と、円形の溝および中央の凹部の母線との角度が、４０°〜５０°であり、及び／又はシリンダヘッド平面と、円形の溝および中央の凹部の母線との角度が、４０°〜５０°であることを特徴とする、請求項２に記載の燃焼室。
【請求項４】
延びたグロープラグ（６ａ）及び／又は金属またはセラミックのロッドが、トリガー起動装置（６、６ａ、６ｂ）として設けられ、ここで、好ましくは、ロッド（６ｂ）は、ピストン底面の中心から又はピストン（２）における凹部（４）の中心から突出することを特徴とする、請求項１乃至３のいずれかに記載の燃焼室。
【請求項５】
点火装置（６、６ａ、６ｂ）が、凹部（４）の軸全体上の燃料−空気の混合気の点火を同時に引き起こすように適合されて、設けられていることを特徴とする、請求項１乃至４のいずれかに記載の燃焼室。
【請求項６】
点火装置（６、６ａ、６ｂ）は、燃焼室軸に対する点火装置の垂直方向の延長が、≧１０％、≧２０％（好適）、≧３０％（より好適）、≧４０％（さらにより好適）、≧５０％（高度に好適）、≧６０％（より高度に好適）、≧７０％（特に好適）、≧８０％（非常に好適）、および≧９０％（とりわけ好適）であるように適合されて、設けられていることを特徴とする、請求項１乃至５のいずれかに記載の燃焼室。
【請求項７】
燃焼室軸（７）の明確な高さは、凹部（３、４）内に位置することを特徴とする、請求項１乃至６のいずれかに記載の燃焼室。
【請求項８】
円錐の底面の半径は、シリンダの半径より小さく、及び／又は円錐台の底面の半径は、シリンダの半径より小さいことを特徴とする、請求項１乃至７のいずれかに記載の燃焼室。
【請求項９】
少なくとも１つの注入手段、特に注入ノズルは、燃料及び/又は空気の注入のために設けられ、ここで、これらの注入手段の少なくとも１つは、注入方向が燃焼室軸と一致しないように配向され、ここで、好ましくは、注入方向は、３０°〜１５０°、好ましくは６０°〜１２０°、特に９０°の角度で燃焼室軸に配向されることを特徴とする、請求項１乃至８のいずれかに記載の燃焼室。
【請求項１０】
空気用の注入手段および燃料用の注入手段が、燃焼室軸に対して対称的に配され、ここで、好ましくは、両注入手段の注入方向が１つの軸上にあることを特徴とする、請求項９に記載の燃焼室。
【請求項１１】
１つを超える凹部がある状態で、各々の追加の凹部の軸上に、燃料−空気の混合気のための追加の点火装置として機能するロッドが設けられることを特徴とする、請求項１乃至１０のいずれかに記載の燃焼室。
【請求項１２】
円形の溝において、好ましくは金属またはセラミックでできた円形−円筒状の要素（１６）が、燃料−空気の混合気のための追加の点火装置として機能するように挿入されることを特徴とする、請求項２に係る請求項３乃至１１のいずれかに記載の燃焼室。
【請求項１３】
ディーゼルエンジンの燃焼室において燃料−空気の混合気を点火するための方法であって、ここで、燃焼室は、シリンダヘッド表面を有するシリンダと、ピストンヘッド表面を有するピストンとを有し、燃焼室軸およびシリンダーヘッド表面及び／又はピストン底面において凹部を有し、燃焼室軸（７）に沿って、燃料−空気の混合気を点火のための点火装置が位置し、ここで、点火装置は、凹部の全長にわたって延び、及び／又は存在する可能性のあるグロープラグに関わらず、点火装置はロッドを有し、および点火装置は、燃焼室軸に対して本質的にラジアルインパルス成分のみを有している、円筒状の点火インパルスが生じるような方法で、燃焼室軸（７）に沿って線形点火を生じさせるように適合されており、
ここで、シリンダヘッドにおける凹部は、以下の規則：
ａ）  凹部が、シリンダヘッド表面に位置する且つ円錐の形態を有し、その先端が、ピストン底面の方へ方向付けられておらず、点火装置が、円錐の先端に位置付けられている、または、
ｂ）  凹部が、シリンダヘッド表面に位置する且つ円錐台の形態を有し、その先端が、ピストン底面の方へ方向付けられておらず、点火装置が、円錐台の軸上に位置付けられている、または、
ｃ）  凹部が、シリンダヘッド表面に位置する且つ１つの円錐と少なくとも１つの円錐台との組み合わせから又は少なくとも２つの円錐台の組み合わせから結果として生じる段差状の形態を有し、点火装置が、凹部軸上に位置付けられている、
の１つによって形成され、
及び／又はピストン底面における凹部は、以下の規則：
ｄ）  凹部が、ピストン底面に位置する且つ円錐の形態を有し、その先端が、シリンダヘッド表面の方へ方向付けられておらず、点火装置が、凹部軸上に位置付けられている、または、
ｅ）  凹部が、ピストン底面に位置する且つ円錐台の形態を有し、その上面が、シリンダヘッド表面の方へ方向付けられておらず、点火装置が、凹部軸上に位置付けられている、または、
ｆ）  凹部が、ピストン底面に位置する且つ１つの円錐と少なくとも１つの円錐台との組み合わせから又は少なくとも２つの円錐台の組み合わせから結果として生じる段差状の形態を有し、点火装置が、凹部軸上に位置付けられている、
の１つによって形成され、
ここで、規則ａ）乃至ｃ）に関して、ピストン底部の平面と、円錐および円錐台の母線との角度が、４０°〜５０°で設けられており、規則ｄ）乃至ｆ）に関して、シリンダヘッド平面と、円錐および円錐台の母線との角度が、４０°〜５０°で設けられており、
ここで、燃焼室軸に沿った線形点火が実行され、その結果、ラジアルインパルス成分は、その全体が、燃焼室軸に沿って凹部によって調整されることを特徴とする、方法。
【請求項１４】
請求項１乃至１２のいずれかに記載の燃焼室が使用されることを特徴とする、請求項１３に記載の方法。
【請求項１５】
請求項１乃至１２のいずれかに記載の燃焼室を特徴とする、ディーゼルエンジン。
【国際調査報告】
2014528555.tif 000018
2014528555.tif 000019
2014528555.tif 000020
2014528555.tif 000021
2014528555.tif 000022
2014528555.tif 000023